(57)【要約】【課題】本発明は住宅の天井裏の小さなスペースにも設置可能で、かつ性能も十分に確保可能な除湿空調装置を提供しようとするものである。【解決手段】本発明は以上のような課題を解決するため、除湿ロータ１と顕熱交換ロータ２の軸を互いに傾かせ、これによって除湿ロータ１と顕熱交換ロータ２間に大きな空間と小さな空間とを形成し、その大きな空間にヒータ３を配置したもので、これによって全体の高さを低くするとともに、無駄な空間を排除するようにした。【選択図】  図１
2005009727.tif 000002
【特許請求の範囲】
【請求項１】
湿気吸着剤を有する除湿ロータと、複数の通路間で顕熱を交換する顕熱交換ロータと、前記除湿ロータに吸着された湿気を脱着する脱着空気の加熱ヒータとを有し、被処理空気を前記除湿ロータで除湿した後に前記顕熱交換ロータによって温度を下げて室内へ供給し、室内還気によって顕熱交換ロータを冷却した後にヒータで温度を上昇させて除湿ロータの脱着を行うようにしたものであって、前記除湿ロータと顕熱交換ロータの軸が互いに傾いた状態であり、これによって前記除湿ロータと顕熱交換ロータ間に大きな空間と小さな空間とを形成し、その大きな空間に前記ヒータを配置した除湿空調装置。
【請求項２】
被処理空気を除湿ロータ及び顕熱交換ロータへ通すブロアを前記除湿ロータの上流側に設置した請求項１記載の除湿空調装置。
【請求項３】
室内還気を顕熱交換ロータ、ヒータ及び除湿ロータに通すブロアを前記顕熱交換ロータと前記ヒータとの間に設置した請求項１記載の除湿空調装置。
【発明の詳細な説明】
【０００１】
【発明の属する技術分野】
本発明は、たとえばシリカゲルやゼオライトなどの湿気吸着剤を用いた除湿空調装置に関するもので、特に天井裏などの狭い空間にも設置可能なものを提供するものである。
【０００２】
【従来の技術】
除湿空調装置はシリカゲルやゼオライトなどの湿気吸着剤を用いることによって、室内の空気の湿度調整を行うものであって、室内空間の快適性の向上に寄与するものであり、また湿気吸着剤に吸着した湿気の脱着に廃熱を使うこともでき、この場合には省エネルギー効果が高くなるため急速に普及している。
【０００３】
現在普及している一般的な除湿空調装置について図３に沿って説明する。１は除湿ロータであり、セラミック紙などをハニカム（ハチの巣）状に形成し、そこにシリカゲルを合成したものである。また２は顕熱交換ロータであり、アルミニウムシートをハニカム状に形成したものである。そして除湿ロータ１と顕熱交換ロータ２とはそれぞれギヤドモータ（図示せず）によって回転駆動される。
【０００４】
３は温水ヒータであり、ボイラーや廃熱源から供給される温水によって、ここを通過する空気を加熱するものである。外気ＯＡは除湿ロータ１の吸着ゾーンを通過することによって高温乾燥空気となり、顕熱ロータ２によって温度が下がり快適な乾燥空気となる。また室内からの還気ＲＡは温度が低く顕熱ロータ２を通過する時に顕熱ロータ２の熱を奪い、反対にここを通過した空気の温度は上昇する。
【０００５】
このような除湿空調装置は産業用だけでなく次第に家庭用としても普及が図られている。このために住宅の天井裏の空間に設置できるような小型のものの開発が求められている。このような技術として例えば特許文献１に開示されたものがある。
【０００６】
【特許文献１】
特開２００３−４２５５号公報
【０００７】
特許文献１に開示されたものは薄い除湿ロータと顕熱交換ロータとを用い、全体として高さの低い除湿空調装置を構成することによって住宅の天井裏の空間にも設置可能にしたものである。
【０００８】
【発明が解決しようとする課題】
しかし特許文献１に記載のものは、特許文献の図２及び図３に示されるように除湿空調装置の中で空気の流れの方向が何度も大きく変っており、空気抵抗が大きくなるという問題がある。空調装置のように長時間運転するものであって家庭用のものは特に静粛性が求められ、空気抵抗が大きいとどうしてもブロアの騒音が大きくなってしまうという問題がある。
【０００９】
また顕熱交換ロータとヒータとの間隔が小さくなり、ヒータの輻射熱が顕熱交換ロータに伝わるため、顕熱交換ロータの温度が上昇し供給空気の温度も上昇するという問題がある。
【００１０】
さらに除湿ロータや顕熱交換ロータあるいはヒータとして薄いものを用いる必要があるため、それぞれの効率が低くなるという問題もある。特に住宅の天井裏の空間に入れる機器としては高さが３００ｍｍ程度にする必要がある。すると除湿ロータや顕熱交換ロータ及びヒータそれぞれの厚さを最大でも７０ｍｍ程度にする必要があり、効率はかなり犠牲になるという問題がある。
【００１１】
本発明は住宅の天井裏の小さなスペースにも設置可能で、かつ性能も十分に確保可能な除湿空調装置を提供しようとするものである。
【００１２】
【課題を解決するための手段】
本件発明は以上のような課題を解決するため、除湿ロータと顕熱交換ロータの軸が互いに傾かせ、これによって除湿ロータと顕熱交換ロータ間に大きな空間と小さな空間とを形成し、その大きな空間にヒータを配置したもので、これによって全体の高さを低くするとともに、無駄な空間を排除するようにした。
【００１３】
【発明の実施の形態】
本発明の請求項１に記載の発明は、湿気吸着剤を有する除湿ロータと、複数の通路間で顕熱を交換する顕熱交換ロータと、前記除湿ロータに吸着された湿気を脱着する脱着空気の加熱ヒータとを有し、被処理空気を前記除湿ロータで除湿した後に前記顕熱交換ロータによって温度を下げて室内へ供給し、室内還気によって顕熱交換ロータを冷却した後にヒータで温度を上昇させて除湿ロータの脱着を行うようにしたものであって、前記除湿ロータと顕熱交換ロータの軸が互いに傾いた状態であり、これによって前記除湿ロータと顕熱交換ロータ間に大きな空間と小さな空間とを形成し、その大きな空間に前記ヒータを配置したものであり、除湿ロータや顕熱交換ロータを斜めに配置することによって高さを低くすることができ、また空間の利用効率が高く全体として小型にすることができるという作用を有する。
【００１４】
【実施例】
以下本発明の除湿空調装置の実施例について図に沿って詳細に説明する。ここで図３の従来のものと同一の構成部材については同一の番号を付与して、重複した説明を省略する。つまり除湿ロータ１、顕熱交換ロータ２、温水ヒータ３は従来のものと共通である。
【００１５】
４は供給ブロアであり、外気ＯＡを除湿ロータ１の吸着ゾーン５へ送るものである。６はギヤドモータであり、除湿ロータ１を回転させるものである。７はギヤドモータであり、顕熱交換ロータ２を回転させるものである。８は排出ブロアであり、室内還気ＲＡを外部に排気ＥＡとして排出するものである。
【００１６】
ここで除湿ロータ１と顕熱交換ロータ２の取り付け状態について説明する。除湿ロータ１と顕熱交換ロータ２はそれぞれ反対向きに軸が傾斜して取り付けられている。図１の例では逆ハの字状態になるようにそれぞれ反対向きに傾斜している。
【００１７】
そして逆ハの字状態で大きい方の空間、つまり室内還気ＲＡが通過する方の通路で除湿ロータ１と顕熱交換ロータ２に挟まれた空間に温水ヒータ３及び排気ブロア８が設けられている。また除湿ロータ１に外気ＯＡが入る直前の空間に給気ブロア４が設けられている。
【００１８】
さらに上記の除湿空調装置本体９は図２に示すように家屋１０の天井裏１１に設置され、除湿ロータ１と顕熱交換ロータ２を通過した外気ＯＡは供給空気ＳＡとなって室内に供給され、室内からの還気ＲＡは顕熱交換ロータ２と温水ヒータ３と除湿ロータ１とを通過して室外へ排気ＥＡとして排出されるように配管がなされる。
【００１９】
以上構成の除湿空調装置の給気ブロア４、排気ブロア８、ギヤドモータ６，７に通電するとともに温水ヒータ３に温水を供給する。すると外気ＯＡは給気ブロア４によって除湿ロータ１の吸着ゾーン５に送られ、乾燥空気となるとともに吸着熱によって温度が上昇する。
【００２０】
この温度の高い乾燥空気は顕熱交換ロータ２によって温度が下がり、快適な空気となって供給空気ＳＡとして室内に供給される。室内の空気は排気ブロア８に引かれて顕熱交換ロータ２を通過し、熱交換によって顕熱交換ロータ２を冷却するとともに還気ＲＡは温度が上昇する。
【００２１】
温度の上昇した還気ＲＡは排気ブロア８によって温水ヒータ３に送られ、温水ヒータ３によってさらに温度が上昇する。温水ヒータ３によって温度の上昇した還気ＲＡは除湿ロータ１を通過して除湿ロータ１に吸着された湿気を脱着する。除湿ロータ１の脱着によってできた多湿空気は排気ＥＡとして大気へ放出される。
【００２２】
【発明の効果】
本発明の除湿空調装置は上記の如く構成したので、除湿ロータや顕熱交換ロータの直径より全体の高さを低くすることができる。また除湿ロータと顕熱交換ロータの軸が互いに傾いた状態であり、これによって除湿ロータと顕熱交換ロータ間に大きな空間と小さな空間とを形成し、その大きな空間にヒータを配置したため、全体として空間の利用が効果的になりコンパクトな除湿空調装置を提供することができる。
【００２３】
被処理空気を除湿ロータ及び顕熱交換ロータへ通すブロアを除湿ロータの上流側に設置したため、ブロアから出る空気に含まれる騒音は除湿ロータと顕熱交換ロータとを通過する間に消音され、室内へ供給される空気流に騒音は含まれず静粛性が高い。
【００２４】
室内還気を顕熱交換ロータ、ヒータ及び除湿ロータに通すブロアを顕熱交換ロータとヒータとの間に設置したため、ヒータの輻射熱がブロアで阻止され顕熱交換ロータの温度を上げることがなく、よって室内への供給空気の温度を低く抑えることができる。また、このブロアの騒音も顕熱交換ロータによって消音され室内への騒音が漏れることを防止することができる。
【図面の簡単な説明】
【図１】本発明の除湿空調装置の実施例を示す断面図である。
【図２】本発明の除湿空調装置を住宅に設置した場合の一例を示す断面図である。
【図３】従来の除湿空調装置の断面図である。
【符号の説明】
１  除湿ロータ
２  顕熱交換ロータ
３  温水ヒータ
４  供給ブロア
５  吸着ゾーン
６，７  ギヤドモータ
８  排気ブロア
【図１】
2005009727.tif 000003
【図２】
2005009727.tif 000004
【図３】
2005009727.tif 000005